(57)【要約】【課題】ＯＬＴとＯＮＵとの間の通信が開通する前であって、光信号の伝搬方向に関わらず心線対照作業が可能な通信監視方法及び通信監視装置を提供することを目的とする。【解決手段】本発明に係る通信監視装置は、ＯＬＴ２１から送出される下り光信号とＯＮＵ２２から送出される上り光信号の少なくとも一方を受信信号として受信する光信号検出部３１と、前記受信信号に含まれる情報から信号種類と送信元の固有情報を検出し、前記信号種類から前記受信信号が下り光信号であるか上り光信号であるかを判別し、前記受信信号が下り光信号であれば前記送信元の固有情報はＯＬＴの固有情報、前記受信信号が上り光信号であれば前記送信元の固有情報はＯＮＵの固有情報と判断する信号解析部３２と、を備える。【選択図】図２
2020123789.tif 000002
【特許請求の範囲】
【請求項１】
光ファイバ伝送路を介して接続される光加入者端局装置（ＯＬＴ：Ｏｐｔｉｃａｌ  Ｌｉｎｅ  Ｔｅｒｍｉｎａｌ）と複数の光回線終端装置（ＯＮＵ：Ｏｐｔｉｃａｌ  Ｎｅｔｗｏｒｋ  Ｕｎｉｔ）との間の通信を監視する通信監視方法であって、
前記ＯＬＴから送出される下り光信号と前記ＯＮＵから送出される上り光信号の少なくとも一方を受信信号として受信し、
前記受信信号に含まれる情報から信号種類と送信元の固有情報を検出し、
前記信号種類から前記受信信号が下り光信号であるか上り光信号であるかを判別し、
前記受信信号が下り光信号であれば前記送信元の固有情報は前記ＯＬＴの固有情報、前記受信信号が上り光信号であれば前記送信元の固有情報は前記ＯＮＵの固有情報と判断することを特徴とする通信監視方法。
【請求項２】
前記信号種類がＧａｔｅまたはＲｅｇｉｓｔｅｒフレームであれば前記受信信号は下り光信号、前記信号種類がＲｅｐｏｒｔ、Ｒｅｇｉｓｔｅｒ  ＲｅｑｕｅｓｔまたはＲｅｇｉｓｔｅｒ  ＡＣＫフレームであれば前記受信信号は上り光信号と判別することを特徴とする請求項１に記載の通信監視方法。
【請求項３】
前記固有情報がＭＡＣアドレスであることを特徴とする請求項１又は２に記載の通信監視方法。
【請求項４】
前記送信元の固有情報を、前記ＯＬＴの固有情報と前記ＯＮＵの固有情報の少なくとも一方と前記光ファイバ伝送路に含まれる複数の光ファイバ心線の情報とを紐付けるリストに照合して受信した光信号が伝搬する前記光ファイバ心線を特定することを特徴とする請求項１から３のいずれかに記載の通信監視方法。
【請求項５】
光ファイバ伝送路を介して接続される光加入者端局装置（ＯＬＴ：Ｏｐｔｉｃａｌ  Ｌｉｎｅ  Ｔｅｒｍｉｎａｌ）と複数の光回線終端装置（ＯＮＵ：Ｏｐｔｉｃａｌ  Ｎｅｔｗｏｒｋ  Ｕｎｉｔ）との間の通信を監視する通信監視装置であって、
前記ＯＬＴから送出される下り光信号と前記ＯＮＵから送出される上り光信号の少なくとも一方を受信信号として受信する光信号検出部と、
前記受信信号に含まれる情報から信号種類と送信元の固有情報を検出し、
前記信号種類から前記受信信号が下り光信号であるか上り光信号であるかを判別し、
前記受信信号が下り光信号であれば前記送信元の固有情報は前記ＯＬＴの固有情報、前記受信信号が上り光信号であれば前記送信元の固有情報は前記ＯＮＵの固有情報と判断する信号解析部と、
を備えることを特徴とする通信監視装置。
【請求項６】
前記光信号検出部は２つであり、
一方の前記光信号検出部は、前記光ファイバ伝送路に配置された光分岐部の下り光信号が出力されるポートに接続され、
他方の前記光信号検出部は、前記光分岐部の上り光信号が出力されるポートに接続される
ことを特徴とする請求項５に記載の通信監視装置。
【請求項７】
前記光信号検出部は、１つであり、前記光ファイバ伝送路に配置された光分岐部の下り光信号が出力されるポート、又は上り光信号が出力されるポートに接続されることを特徴とする請求項５に記載の通信監視装置。
【請求項８】
前記ＯＬＴの固有情報と前記ＯＮＵの固有情報の少なくとも一方と前記光ファイバ伝送路に含まれる複数の光ファイバ心線の情報とを紐付けるリストと、
前記送信元の固有情報を、前記リストに照合して受信した光信号が伝搬する前記光ファイバ心線を特定する心線特定部と
をさらに備えることを特徴とする請求項５から７のいずれかに記載の通信監視装置。
【発明の詳細な説明】
【技術分野】
【０００１】
本開示は、光アクセスネットワークシステムにおける通信監視方法および通信監視装置に関する。
【背景技術】
【０００２】
ＧＥ−ＰＯＮ（Ｇｉｇａｂｉｔ  Ｅｔｈｅｒｎｅｔ（登録商標）  −  Ｐａｓｓｉｖｅ  Ｏｐｔｉｃａｌ  Ｎｅｔｗｏｒｋ）の規格であるＩＥＥＥ８０２．３ａｈで標準化されている制御フレームのうち、光回線終端装置（ＯＮＵ：Ｏｐｔｉｃａｌ  Ｎｅｔｗｏｒｋ  Ｕｎｉｔ）から光加入者端局装置（ＯＬＴ：Ｏｐｔｉｃａｌ  Ｌｉｎｅ  Ｔｅｒｍｉｎａｌ）へ送信される上り光信号を受信し、光信号から制御フレームを検出し、制御フレームに含まれるＯＮＵの固有情報（ＭＡＣアドレス（Ｍｅｄｉａ  Ａｃｃｅｓｓ  Ｃｏｎｔｒｏｌ  ａｄｄｒｅｓｓ）等）を取得する通信監視装置が開示されている（例えば、特許文献１を参照。）。
【０００３】
また、光ファイバ心線を曲げ、ＯＮＵからの上り光信号を曲げ部から漏洩させ、上記通信監視装置でＭＡＣアドレスを取得する手法も開示されている（例えば、特許文献２を参照。）。このような通信監視装置は、取得したＯＮＵのＭＡＣアドレスと、実際にユーザが使用しているＯＮＵのＭＡＣアドレスとを照合することで心線対照光を使用することなく光ファイバ心線を特定できる。
【先行技術文献】
【特許文献】
【０００４】
【特許文献１】特開２００９−１７７５１０号公報
【特許文献２】特開２０１５−１３２７７５号公報
【非特許文献】
【０００５】
【非特許文献１】ＮＴＴ技術ジャーナル  ２００５．９、技術基礎講座（ＧＥ−ＰＯＮ技術）第２回  ＩＥＥＥ８０２．３ａｈ標準規格
【発明の概要】
【発明が解決しようとする課題】
【０００６】
特許文献１と２で開示される手法では、ＯＮＵからの上り光を取得する必要があるため、通信サービスが利用中、つまりＯＬＴとＯＮＵとで通信をしている状態でのみ光ファイバ心線を特定ができる。一方、ＯＬＴとＯＮＵとが通信していない状態（たとえば、開通前で通信線路が未接続のときやＯＮＵの電源がＯＦＦになっているときなど）ではＯＮＵからの上り光が送出されないため、光ファイバ心線を特定ができない。
【０００７】
ＯＬＴはＯＮＵと通信していなくても下り光を送出している。このため、例えば、ＯＬＴからの下り光信号から制御フレームを検出し、制御フレームに含まれるＯＬＴの固有情報（ＭＡＣアドレス等）を取得することができれば、ＯＬＴのＭＡＣアドレスを照合することでＯＬＴとＯＮＵとが通信していない状態でも心線対照光を使用することなく光ファイバ心線を特定できる。
【０００８】
図１は、通信監視装置の一例を説明する図である。通信監視装置（１１、１２）は、ＯＬＴ２１とＯＮＵ２２との間の光ファイバ伝送路２３に設置された光分岐部１３（たとえば、光分岐カプラや光ファイバ側方入出力装置）を介してＯＬＴ２１からの下り光信号およびＯＮＵからの上り光信号を受信し、受信信号の制御フレームからＯＬＴ２１およびＯＮＵ２２のＭＡＣアドレスを取得する。
【０００９】
通信監視装置１１は、例えば、特許文献１に記載の上り光信号用通信監視装置である。通信監視装置１１は、上り光信号からＯＮＵ２２のＭＡＣアドレスを取得する。通信監視装置１２は、下り光信号用通信監視装置である。通信監視装置１２は、特許文献１と同様の手法で下り光信号からＯＬＴ２１のＭＡＣアドレスを取得する。図１は、光ファイバ伝送路２３は光ファイバ心線が１本の例であるが、実際の作業現場（たとえば、クロージャ）では、多数の光ファイバ心線が敷設されており、作業者は作業対象となる光ファイバ心線を取り出す必要がある。光分岐部１３として光ファイバ側方入出力装置を用いる場合、作業者は光ファイバ心線内のどちらの方向へ上り光信号と下り光信号が伝搬しているかを判別し、上り光信号や下り光信号が光分岐部１３のどちらのポートから出力されるのかを判別し、それぞれのポートに対応した通信監視装置（１１、１２）を区別して接続する必要がある。このため、従前の心線対照作業は、作業効率が悪く、また上り光信号と下り光信号の伝搬方向を判別できない、あるいは間違って判別した場合には、誤検知を発生させるという課題がある。
【００１０】
そこで、本発明は、前記課題を解決するために、ＯＬＴとＯＮＵとの間の通信が開通する前であって、光信号の伝搬方向に関わらず心線対照作業が可能な通信監視方法及び通信監視装置を提供することを目的とする。
【課題を解決するための手段】
【００１１】
上記目的を達成するために、本発明に係る通信監視方法は、光ファイバ伝送路を伝搬する制御フレームを検出し、当該制御フレームの種類から当該制御フレームが上りであるか下りであるかを判断し、当該制御フレームに含まれる送信元特定情報からＯＬＴないしＯＮＵの固有情報を取得することとした。
【００１２】
具体的には、本発明に係る通信監視方法は、光ファイバ伝送路を介して接続される光加入者端局装置（ＯＬＴ：Ｏｐｔｉｃａｌ  Ｌｉｎｅ  Ｔｅｒｍｉｎａｌ）と複数の光回線終端装置（ＯＮＵ：Ｏｐｔｉｃａｌ  Ｎｅｔｗｏｒｋ  Ｕｎｉｔ）との間の通信を監視する通信監視方法であって、
前記ＯＬＴから送出される下り光信号と前記ＯＮＵから送出される上り光信号の少なくとも一方を受信信号として受信し、
前記受信信号に含まれる情報から信号種類と送信元の固有情報を検出し、
前記信号種類から前記受信信号が下り光信号であるか上り光信号であるかを判別し、
前記受信信号が下り光信号であれば前記送信元の固有情報は前記ＯＬＴの固有情報、前記受信信号が上り光信号であれば前記送信元の固有情報は前記ＯＮＵの固有情報と判断することを特徴とする。
【００１３】
また、本発明に係る通信監視装置は、光ファイバ伝送路を介して接続される光加入者端局装置（ＯＬＴ：Ｏｐｔｉｃａｌ  Ｌｉｎｅ  Ｔｅｒｍｉｎａｌ）と複数の光回線終端装置（ＯＮＵ：Ｏｐｔｉｃａｌ  Ｎｅｔｗｏｒｋ  Ｕｎｉｔ）との間の通信を監視する通信監視装置であって、
前記ＯＬＴから送出される下り光信号と前記ＯＮＵから送出される上り光信号の少なくとも一方を受信信号として受信する光信号検出部と、
前記受信信号に含まれる情報から信号種類と送信元の固有情報を検出し、
前記信号種類から前記受信信号が下り光信号であるか上り光信号であるかを判別し、
前記受信信号が下り光信号であれば前記送信元の固有情報は前記ＯＬＴの固有情報、前記受信信号が上り光信号であれば前記送信元の固有情報は前記ＯＮＵの固有情報と判断する信号解析部と、
を備える。
【００１４】
制御フレームは、ＯＬＴとＯＮＵとの間の通信が開通する前であっても定期的に光ファイバ伝送路を伝搬している。そして、制御フレームの種類によってＯＬＴが送信したものかＯＮＵが送信したものかを判断できる。制御フレームには送信元の固有情報が記載されているので、これを検出することでＯＬＴないしＯＮＵの固有情報を取得できる。ＯＬＴないしＯＮＵの固有情報を取得できれば、別途データベースなどで管理されているＯＬＴないしＯＮＵの固有情報と心線情報とを紐づけるリストに照合して心線を特定することができる。
【００１５】
従って、本発明は、ＯＬＴとＯＮＵとの間の通信が開通する前であって、光信号の伝搬方向に関わらず心線対照作業が可能な通信監視方法及び通信監視装置を提供することができる。
【００１６】
ここで、前記信号種類がＧａｔｅまたはＲｅｇｉｓｔｅｒフレームであれば前記受信信号は下り光信号、前記信号種類がＲｅｐｏｒｔ、Ｒｅｇｉｓｔｅｒ  ＲｅｑｕｅｓｔまたはＲｅｇｉｓｔｅｒ  ＡＣＫフレームであれば前記受信信号は上り光信号と判別し、前記固有情報がＭＡＣアドレスであることを特徴とする。
【００１７】
本発明に係る通信監視方法は、前記送信元の固有情報を、前記ＯＬＴの固有情報と前記ＯＮＵの固有情報の少なくとも一方と前記光ファイバ伝送路に含まれる複数の光ファイバ心線の情報とを紐付けるリストに照合して受信した光信号が伝搬する前記光ファイバ心線を特定することを特徴とする。
【００１８】
また、本発明に係る通信監視装置は、
前記ＯＬＴの固有情報と前記ＯＮＵの固有情報の少なくとも一方と前記光ファイバ伝送路に含まれる複数の光ファイバ心線の情報とを紐付けるリストと、
前記送信元の固有情報を、前記リストに照合して受信した光信号が伝搬する前記光ファイバ心線を特定する心線特定部と
をさらに備えることを特徴とする。
【００１９】
なお、本発明に係る通信監視装置の前記光信号検出部は２つであり、
一方の前記光信号検出部を前記光ファイバ伝送路に配置された光分岐部の下り光信号が出力されるポートに接続し、他方の前記光信号検出部を前記光分岐部の上り光信号が出力されるポートに接続してもよい。
【００２０】
一方、本発明に係る通信監視装置の前記光信号検出部は１つであり、前記光ファイバ伝送路に配置された光分岐部の下り光信号が出力されるポート、又は上り光信号が出力されるポートに接続してもよい。
【００２１】
なお、上記各発明は、可能な限り組み合わせることができる。
【発明の効果】
【００２２】
本発明は、ＯＬＴとＯＮＵとの間の通信が開通する前であって、光信号の伝搬方向に関わらず心線対照作業が可能な通信監視方法及び通信監視装置を提供することができる。
【図面の簡単な説明】
【００２３】
【図１】上り用と下り用の通信監視装置を使用して心線対照を行う構成を説明する図である。
【図２】本発明に係る通信監視装置を説明する図である。
【図３】本発明に係る通信監視装置を使用して心線対照を行う構成を説明する図である。
【図４】イーサネット（登録商標）フレームを説明する図である。
【発明を実施するための形態】
【００２４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２５】
図２は、本実施形態の通信監視装置１５を説明する図である。通信監視装置１５は、光ファイバ伝送路２３を介して接続されるＯＬＴ２１と複数のＯＮＵ２２との間の通信を監視する通信監視装置であって、
ＯＬＴ２１から送出される下り光信号とＯＮＵ２２から送出される上り光信号の少なくとも一方を受信信号として受信する光信号検出部３１と、
前記受信信号に含まれる情報から信号種類と送信元の固有情報を検出し、
前記信号種類から前記受信信号が下り光信号であるか上り光信号であるかを判別し、
前記受信信号が下り光信号であれば前記送信元の固有情報はＯＬＴの固有情報、前記受信信号が上り光信号であれば前記送信元の固有情報はＯＮＵの固有情報と判断する信号解析部３２と、
を備える。
【００２６】
本実施形態では、光信号検出部３１は２つであり、一方の光信号検出部３１ａは、前記光ファイバ伝送路に配置された光分岐部の下り光信号が出力されるポートに接続され、他方の光信号検出部３１ｂは、前記光分岐部の上り光信号が出力されるポートに接続される場合を説明する。
【００２７】
なお、光信号検出部３１は、１つであり、光ファイバ伝送路２３に配置された光分岐部１３の下り光信号が出力されるポート、又は上り光信号が出力されるポートに接続される構成でもよい。
【００２８】
通信監視装置１５は、光分岐部１３のポートから出力される光信号を受信し、それが上り光信号か下り光信号かを判別し、当該光信号からＯＬＴ２１ないしＯＮＵ２２の固有情報を取得する。図４は、光ファイバ伝送路２３を伝搬する光信号の一例を説明する図である。本例は、光信号としてイーサネットフレームである。
【００２９】
光信号検出部（３１ａ、３１ｂ）は、上り下り両方の光信号を受信できるよう上りの光波長１２６０〜１３６０ｎｍと下りの光波長１４８０〜１５００ｎｍを検出可能である。光信号検出部（３１ａ、３１ｂ）は、受信した光信号を電気信号へ変換し、信号解析部３２へ送出する。
【００３０】
信号解析部３２は、光信号検出部（３１ａ、３１ｂ）からの電気信号を受信し、上りと下りを問わず電気信号から制御用の信号を検出し、送信元の固有情報を取得する。例えば、ＧＥ−ＰＯＮであれば、光信号は図４のようなイーサネットフレームである（例えば、非特許文献１を参照。）。この場合、送信元の固有値は、送信元のＭＡＣアドレスである。
【００３１】
また、信号解析部３２は、フレーム内の「タイプ」に格納されている値に応じて、当該光信号が制御フレームか通信フレーム（電話やＩＰ通信）かを判別することができる。さらに、信号解析部３２は、フレーム内の「タイプ」の後の２バイトに格納されている値から、当該制御フレームがＧａｔｅ、Ｒｅｇｉｓｔｅｒ、Ｒｅｐｏｒｔ、Ｒｅｇｉｓｔｅｒ  ＲｅｑｕｅｓｔまたはＲｅｇｉｓｔｅｒ  ＡＣＫフレームのいずれであるかを判別する。
【００３２】
そして、信号解析部３２は、当該制御フレームがＧａｔｅまたはＲｅｇｉｓｔｅｒフレームであれば下りの制御フレームであり、取得した送信元ＭＡＣアドレスはＯＬＴ２１のＭＡＣアドレスであると特定できる。一方、信号解析部３２は、当該制御フレームがＲｅｐｏｒｔ、Ｒｅｇｉｓｔｅｒ  ＲｅｑｕｅｓｔまたはＲｅｇｉｓｔｅｒ  ＡＣＫフレームであれば上りの制御フレームであり、取得した送信元ＭＡＣアドレスはＯＮＵ２２のＭＡＣアドレスであると特定できる。
【００３３】
図３は、通信監視装置１５が行う心線対照作業を説明する図である。通信監視装置１５は、ＯＬＴ２１の固有情報とＯＮＵ２２の固有情報の少なくとも一方と光ファイバ伝送路２３に含まれる複数の光ファイバ心線２７の情報とを紐付けるリスト３３と、
前記送信元の固有情報を、リスト３３に照合して受信した光信号が伝搬する光ファイバ心線２７を特定する心線特定部３４と
をさらに備える。
【００３４】
実際の設備では図３のように同一の光ファイバ伝送路のケーブル内にＯＬＴ２１とＯＮＵ２２とを接続する光ファイバ心線２７が複数収容されている。作業者は、作業対象の光ファイバ心線２７を特定するために、たとえば光ファイバ心線２７のひとつを曲げてＯＬＴ２１の下り光信号とＯＮＵ２２の上り光信号の少なくとも一方を漏洩させて通信監視装置１５でＭＡＣアドレスを取得する。
【００３５】
通信監視装置１５は、心線特定部３４で、取得したＭＡＣアドレスを、別途データベースなどで管理されているＭＡＣアドレスと心線情報とを紐づけるリスト３３に照合して光ファイバ心線２７を特定する。
【００３６】
従来ではＯＮＵ２２のＭＡＣアドレスのみから光ファイバ心線２７を特定しており、たとえばＯＮＵ２２からの上り光が送出されていない場合、光ファイバ心線２７にＯＮＵ２２が接続されていない場合、あるいはＯＮＵ２２との新規開通の場合には心線特定ができなかった。
【００３７】
一方、通信監視装置１５は、ＯＬＴ２１およびＯＮＵ２２の両方のＭＡＣアドレスを照合しており、上述のような場合でも、下り光信号からＯＬＴのＭＡＣアドレスを取得し、リスト３３に照合することで心線特定が可能である。
【符号の説明】
【００３８】
１１：上り光信号用通信監視装置
１２：下り光信号用通信監視装置
１３：光分岐部
１５：通信監視装置
２１：ＯＬＴ
２２：ＯＮＵ
２３：光ファイバ伝送路
２７：光ファイバ心線
３１、３１ａ、３１ｂ：光信号検出部
３２：信号解析部
３３：リスト
３４：心線特定部
【図１】
2020123789.tif 000003
【図２】
2020123789.tif 000004
【図３】
2020123789.tif 000005
【図４】
2020123789.tif 000006